【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域内に配置され前記遊技媒体が進入可能とされた始動口と、
前記始動口に進入した遊技媒体を検出する始動検出手段と、
前記始動口よりも上方に配置された役物と、
前記役物内に遊技媒体が進入可能なように所定の開閉動作を行う可動部材と、
前記役物内の左右方向の略中央に配置される表示手段と、
前記表示手段の左右のうちいずれか一の側に配置され、前記遊技媒体が受入れ可能な大当り口と、
前記大当り口に前記遊技媒体が受け入れられると遊技者に有利な有利遊技状態を発生させる有利遊技状態発生手段と、
前記大当り口との間で前記表示手段を左右から挟むように配置され、前記役物内に進入した遊技媒体が受け入れられたとしても、前記有利遊技状態が発生しないハズレ口と、
前記役物内に進入した遊技媒体が前記大当り口および前記ハズレ口の上流側において左右方向に転動可能な転動面を有し、該転動面の大当り口側の端部とハズレ口側の端部のうちいずれか一方から遊技媒体を放出可能なガイド部材と、
前記ガイド部材を、前記転動面上の前記遊技媒体が前記大当り口側の端部と前記ハズレ口側の端部との間で揺動するように動作させる駆動手段と、
前記駆動手段により動作する前記ガイド部材の動作状況を検出する動作状況検出手段と、
前記駆動手段によって揺動する遊技媒体が、前記大当り口側の端部および前記ハズレ口側の端部のうちいずれから放出されるかについて予測示唆しうる予測示唆手段と、
を備え、
前記駆動手段は、前記ガイド部材を、
前記当り口側の端部が前記ハズレ口側の端部よりも低くなるように前記転動面に傾斜を持たせることによって、前記転動面上の遊技媒体を該当り口側の端部に向かって転動させる第１動作態様と、前記当り口側の端部が前記ハズレ口側の端部よりも高くなるように前記転動面に傾斜を持たせることによって、前記転動面上の遊技媒体を該ハズレ口側の端部に向かって転動させる第２動作態様と、の間で揺動させるとともに、
前記第１動作態様において持たせられた前記傾斜によって前記当り口側の端部に向かって転動する遊技媒体が該当り口側の端部から放出される前に、該遊技媒体を逆方向に転動させて前記ハズレ口側の端部から放出されるように揺動させうるものであり、
前記動作状況検出手段は、
前記ガイド部材の前記当り口側の端部と前記ハズレ口側の端部との高さ関係、および、前記ガイド部材の揺動方向を、該ガイド部材の動作状況として検出し、
前記予測示唆手段は、
前記動作状況検出手段により検出された前記ガイド部材の動作状況に基づいて、前記転動面上の遊技媒体が前記当り口側の端部および前記ハズレ口側の端部のうちいずれから放出されるかを予測しうる演出画像を、前記表示手段にて表示することによって、
前記ガイド部材が揺動することで前記転動面上の遊技媒体が前記当り口側の端部および前記ハズレ口側の端部のうちいずれから放出されるかの予測が困難であったとしても、該遊技媒体が前記当り口側の端部および前記ハズレ口側の端部のうちいずれから放出されうるかを認識できるようにした
ことを特徴とする遊技機。
【請求項２】
前記表示手段は、少なくともキャラクタが表示されるものであって、
前記予測示唆手段は、
常には、前記キャラクタが前記ハズレ口側に向いた第一演出画像を前記表示手段にて表示する第一表示処理と、
前記始動検出手段により遊技媒体が検出されたことに基づいて、前記当り口側の端部が前記ハズレ口側の端部よりも低く且つ該当り口側の端部が下降中であると前記動作状況検出手段により検出された場合には、前記通常演出画像から、前記キャラクタが前記当り口側に向いた特別第二演出画像に切り替えて前記表示手段に表示する特別第二表示処理と、
前記始動検出手段により遊技媒体が検出されたことに基づいて、前記当り口側の端部が上昇中であると検出された場合には、前記通常演出画像と同じように前記キャラクタが前記ハズレ口側に向いた通常第二演出画像を前記表示手段に表示する通常第二表示処理と、
を行うことによって、前記転動面上の遊技媒体が前記当り口側の端部および前記ハズレ口側の端部のうちいずれから放出されうるかを、前記キャラクタの向きにより認識できるようにした
ことを特徴とする請求項１に記載の遊技機。
【請求項３】
前記予測示唆手段は、
少なくとも前記特別第二演出画像にて表示される前記キャラクタの移動速度が、前記第一演出画像にて表示される前記キャラクタの移動速度よりも早く表示されるように、前記特別第二表示処理を行う
ことを特徴とする請求項２に記載の遊技機。
【手続補正２】
【補正対象書類名】明細書
【補正対象項目名】０００９
【補正方法】変更
【補正の内容】
【０００９】
請求項１に記載の遊技機は、遊技媒体が打ち込まれる遊技領域内に配置され前記遊技媒体が進入可能とされた始動口（第一始動入賞口９６、第二始動入賞口９７）と、前記始動口に進入した遊技媒体を検出する始動検出手段（始動口センサ３１８）と、前記始動口よりも上方に配置された役物と、前記役物内に遊技媒体が進入可能なように所定の開閉動作を行う可動部材（可動片４５６）と、前記役物内の左右方向の略中央に配置される表示手段（演出表示装置１１５）と、前記表示手段の左右のうちいずれか一の側に配置され、前記遊技媒体が受入れ可能な大当り口（大当り入賞口９３）と、前記大当り口に前記遊技媒体が受け入れられると遊技者に有利な有利遊技状態を発生させる有利遊技状態発生手段と、前記大当り口との間で前記表示手段を左右から挟むように配置され、前記役物内に進入した遊技媒体が受け入れられたとしても、前記有利遊技状態が発生しないハズレ口（ハズレ入賞口９４）と、前記役物内に進入した遊技媒体が前記大当り口および前記ハズレ口の上流側において左右方向に転動可能な転動面を有し、該転動面の大当り口側の端部とハズレ口側の端部のうちいずれか一方から遊技媒体を放出可能なガイド部材（ガイド部材４９１）と、前記ガイド部材を、前記転動面上の前記遊技媒体が前記大当り口側の端部と前記ハズレ口側の端部との間で揺動するように動作させる駆動手段（回動駆動手段４９３）と、前記駆動手段により動作する前記ガイド部材の動作状況を検出する動作状況検出手段（回動検出センサ４９４、回動検出部４９９）と、前記駆動手段によって揺動する遊技媒体が、前記大当り口側の端部および前記ハズレ口側の端部のうちいずれから放出されるかについて予測示唆しうる予測示唆手段（演出表示制御手段６３２）と、を備え、前記駆動手段は、前記ガイド部材を、前記当り口側の端部が前記ハズレ口側の端部よりも低くなるように前記転動面に傾斜を持たせることによって、前記転動面上の遊技媒体を該当り口側の端部に向かって転動させる第１動作態様（図３０（ア）、（ウ）、（オ）、（キ））と、前記当り口側の端部が前記ハズレ口側の端部よりも高くなるように前記転動面に傾斜を持たせることによって、前記転動面上の遊技媒体を該ハズレ口側の端部に向かって転動させる第２動作態様（図３０（イ）、（エ）、（カ））と、の間で揺動させるとともに、前記第１動作態様において持たせられた前記傾斜によって前記当り口側の端部に向かって転動する遊技媒体が該当り口側の端部から放出される前に、該遊技媒体を逆方向に転動させて前記ハズレ口側の端部から放出されるように揺動させうるものであり、前記動作状況検出手段は、前記ガイド部材の前記当り口側の端部と前記ハズレ口側の端部との高さ関係（ステップＳ１８０３）、および、前記ガイド部材の揺動方向（ステップＳ１８０４）を、該ガイド部材の動作状況として検出し、前記予測示唆手段は、前記動作状況検出手段により検出された前記ガイド部材の動作状況に基づいて、前記転動面上の遊技媒体が前記当り口側の端部および前記ハズレ口側の端部のうちいずれから放出されるかを予測しうる演出画像を、前記表示手段にて表示することによって、前記ガイド部材が揺動することで前記転動面上の遊技媒体が前記当り口側の端部および前記ハズレ口側の端部のうちいずれから放出されるかの予測が困難であったとしても、該遊技媒体が前記当り口側の端部および前記ハズレ口側の端部のうちいずれから放出されうるかを認識できるようにしたものである。
請求項２に記載の遊技機は、請求項１に記載の遊技機において、前記表示手段は、少なくともキャラクタが表示されるものであって、前記予測示唆手段は、常には、前記キャラクタが前記ハズレ口側に向いた第一演出画像（図３９（ａ））を前記表示手段にて表示する第一表示処理と、前記始動検出手段により遊技媒体が検出されたことに基づいて、前記当り口側の端部が前記ハズレ口側の端部よりも低く且つ該当り口側の端部が下降中であると前記動作状況検出手段により検出された場合には、前記通常演出画像から、前記キャラクタが前記当り口側に向いた特別第二演出画像（図４１（ａ））に切り替えて前記表示手段に表示する特別第二表示処理（ステップＳ１８０５）と、前記始動検出手段により遊技媒体が検出されたことに基づいて、前記当り口側の端部が上昇中であると検出された場合には、前記通常演出画像と同じように前記キャラクタが前記ハズレ口側に向いた通常第二演出画像（図３９（ｂ））を前記表示手段に表示する通常第二表示処理（ステップＳ１８０７）と、を行うことによって、前記転動面上の遊技媒体が前記当り口側の端部および前記ハズレ口側の端部のうちいずれから放出されうるかを、前記キャラクタの向きにより認識できるようにしたものである。
請求項３に記載の遊技機は、請求項２に記載の遊技機において、前記予測示唆手段は、少なくとも前記特別第二演出画像にて表示される前記キャラクタの移動速度が、前記第一演出画像にて表示される前記キャラクタの移動速度よりも早く表示されるように、前記特別第二表示処理を行うようにしたものである。